(57)【要約】【課題】カメラレコーダ等で撮影した動画の特定のフレームのＰｉｃｔｕｒｅデータを静止画として取り出した際、その静止画がどの動画データを元にして作成されたかどうかを、素材ファイル内の情報だけで知る手段がなかった。【解決手段】動画の特定のフレームのＰｉｃｔｕｒｅデータを静止画として取り出す際、動画素材ファイルのヘッダに記録されている素材識別情報と同じ素材識別情報と、静止画作成対象Ｐｉｃｔｕｒｅのフレームオフセット情報を、作成する静止画のヘッダ内に記録する。【選択図】図１
2006157343.tif 000002
【特許請求の範囲】
【請求項１】
少なくとも素材を識別するための素材識別情報が付加情報として記録されている動画素材ファイルから特定フレームのＰｉｃｔｕｒｅを取り出して静止画素材ファイルを作成する静止画作成方法であって、
前記静止画素材ファイルに前記素材識別情報を記録する素材識別情報記録ステップと、
前記静止画素材ファイルに前記動画素材ファイルの静止画作成対象Ｐｉｃｔｕｒｅのフレームオフセット値を記録するフレームオフセット記録ステップと、
を有する静止画作成方法。
【請求項２】
素材識別情報として、ＵＭＩＤ（Ｕｎｉｑｕｅ  Ｍａｔｅｒｉａｌ  Ｉｄｅｎｔｉｆｉｅｒ）を用いる請求項１記載の静止画作成方法。
【請求項３】
動画ファイル及び静止画ファイルを記録する記録媒体と、
前記記録媒体に記録されている前記動画ファイル及び前記静止画ファイルを読み取るＲｅａｄ部と、
前記Ｒｅａｄ部で読み取った動画ファイルをデコードし、特定のフレームのＰｉｃｔｕｒｅデータを作成する動画デコード部と、
前記Ｐｉｃｔｕｒｅデータから静止画ファイルを作成する静止画作成部と、
前記静止画ファイルを前記記録媒体に記録するＷｒｉｔｅ部とを有し、
請求項１記載の静止画作成方法により静止画を作成する静止画作成装置。
【請求項４】
動画ファイル及び静止画ファイルを記録する記録媒体と、
映像情報を入力する映像入力部と、
前記映像入力部からの映像データをエンコードして動画データを作成し、また、前記映像入力部からの映像データから所定のＰｉｃｔｕｒｅデータを作成する動画エンコード部と、
前記動画エンコード部で作成した動画データから動画ファイルを作成する動画作成部と、
前記動画エンコード部で作成したＰｉｃｔｕｒｅデータから静止画ファイルを作成する静止画作成部と、
前記動画作成部で作成した動画ファイルおよび前記静止画作成部で作成した静止画ファイルを前記記録媒体に記録するＷｒｉｔｅ部とを有し、
請求項１記載の静止画作成方法により静止画を作成する静止画作成装置。
【発明の詳細な説明】
【技術分野】
【０００１】
本発明は、カメラレコーダやＶＴＲ等で作成された動画の特定のフレームのＰｉｃｔｕｒｅデータを静止画として記録するための静止画作成方法及び静止画作成装置に関する。
【背景技術】
【０００２】
現在、カメラレコーダやＶＴＲ等で作成した動画データの特定のフレームのＰｉｃｔｕｒｅを静止画として画面出力する静止画作成装置が考案されている（例えば、特許文献１参照）。
【０００３】
これら従来の静止画作成装置は、記録媒体上に静止画を記録しているわけではなく、静止画を出力する時に、必要に応じて動画を伸張（デコード）し、静止画データおよびその関連位置をメインメモリ等に一時的に記憶している。そして、必要に応じてメインメモリ上の静止画データを出力したり、また、静止画の関連位置から動画を再生している。
【特許文献１】特開平１１−３２３０３号公報
【発明の開示】
【発明が解決しようとする課題】
【０００４】
ところが、このような従来の静止画作成装置では、静止画データをメインメモリに一時的に記憶しているだけなので、機器を再起動させた時には、静止画を作成するために、再び動画を伸張（デコード）する必要があるという課題があった。
【０００５】
上記課題に鑑み、本発明は、動画データの特定のフレームのＰｉｃｔｕｒｅを静止画ファイルとして記録媒体に記録する静止画作成装置において、より効果的な素材管理方法を提供すると共に、その後の編集作業を効率よく行うことを目的とする。
【課題を解決するための手段】
【０００６】
この課題を解決するために、本発明では、少なくとも素材を識別するための素材識別情報が付加情報として記録されている動画素材ファイルから、動画素材ファイルの特定フレームのＰｉｃｔｕｒｅを取り出して静止画を作成する際、作成する静止画素材ファイルに、動画素材ファイルに記録されている素材識別情報を記録する素材識別情報記録手段と、作成する静止画素材ファイルに、動画素材ファイルの静止画作成対象Ｐｉｃｔｕｒｅのフレームオフセット値を記録する、フレームオフセット記録手段とを有し、動画から所定のＰｉｃｔｕｒｅの静止画を作成し、記録媒体に記録する。
【発明の効果】
【０００７】
上記構成により、動画から作成された静止画のヘッダ部を参照するだけで、作成元となった動画が特定できると共に、その動画の何フレーム目のＰｉｃｔｕｒｅデータから作成されたかを特定することができるので、その静止画データの近隣の別の静止画データを参照、作成する等の編集を効率よく行うことができる、という効果が得られる。
【発明を実施するための最良の形態】
【０００８】
以下、図面を用いて、本発明の実施の形態について詳細に説明する。
【０００９】
（実施の形態１）
最初に、本実施の形態における静止画作成の基本的な処理について説明する。図１は、本実施の形態の静止画作成装置において、あらかじめ作成してある動画素材ファイルから、特定のフレームのＰｉｃｔｕｒｅを静止画として取り出し、静止画素材ファイルを作成する方法を説明するための図である。１０１は動画素材ファイルであり、この動画素材ファイル１０１から静止画を取り出して作成する。１０２は動画ヘッダ部であり、動画素材ファイル１０１の各種メタ情報が記録されている部分である。１０３は動画データ部であり、動画素材ファイル１０１の実映像データが記録されている部分である。１０４は動画素材識別情報（１）であり、動画素材ファイル１０１を他の動画素材ファイルと区別するための識別情報である。この動画素材識別情報（１）１０４は、動画ヘッダ部１０２内に記録されている。図１のように、本実施の形態においては、動画素材識別情報（１）１０４は「１００」とする。
【００１０】
１１１は静止画素材ファイルであり、動画素材ファイル１０１から作成される。１１２は静止画ヘッダ部であり、静止画素材ファイル１１１の各種メタ情報が記録されている部分である。１１３は静止画データ部であり、静止画素材ファイル１１１の実静止画データが記録されている部分である。１１４は動画素材識別情報（２）であり、静止画素材ファイル１１１の作成元となった素材、すなわち動画素材ファイル１０１の識別情報である。すなわち動画素材識別情報（２）１１４は動画素材識別情報（１）１０４と同じものである。この動画素材識別情報（２）１１４は、静止画ヘッダ部１１２内に記録される。１１５はフレームオフセット情報であり、静止画素材ファイル１１１が、動画素材ファイル１０１の何フレーム目に相当するデータかを示すオフセット値である。このフレームオフセット情報１１５は、静止画ヘッダ部１１２内に記録される。
【００１１】
本実施の形態では、動画素材ファイル１０１のファイルフォーマットをＭＸＦ（Ｍａｔｅｒｉａｌ  Ｅｘｃｈａｎｇｅ  Ｆｏｒｍａｔ：ＳＭＰＴＥ  ３７７Ｍ）とし、静止画素材ファイル１１１のファイルフォーマットをＥｘｉｆ（Ｅｘｃｈａｎｇｅａｂｌｅ  Ｉｍａｇｅ  Ｆｉｌｅ  Ｆｏｒｍａｔ：ＪＥＩＤＡ  ４９）とする。
【００１２】
ＭＸＦとは、ＳＭＰＴＥによって規格化された素材交換用のフォーマットであり、メーカー独自のデジタル機器と他のメーカーの機器間でデータの受け渡しを可能とするものである。また、Ｅｘｉｆとは、ＪＥＩＤＡ（日本電子工業振興協会）で規格化された画像フォーマットであり、汎用画像フォーマットであるＴＩＦＦ（Ｔａｇｇｅｄ  Ｉｍａｇｅ  Ｆｉｌｅ  Ｆｏｒｍａｔ）およびＪＰＥＧ（Ｊｏｉｎｔ  Ｐｈｏｔｏｇｒａｐｈｉｃ  ｃｏｄｉｎｇ  Ｅｘｐｅｒｔｓ  Ｇｒｏｕｐ：ＩＳＯ／ＩＥＣ  １０９１８−１）をベースにしたものである。
【００１３】
図３は、あらかじめ作成されている動画素材ファイル１０１から静止画素材ファイル１１１を作成するためのフローチャートである。まず、最初のステップ（Ｓ３０１）として、複数の動画ファイルが存在する場合は、静止画を取り出す元となる動画素材ファイル１０１をユーザが選択する。動画素材ファイル１０１を選択するために、必要であれば動画や静止画を出力するためのモニタや、選択カーソル、および選択釦等（いずれも図示せず）を用いてもよく、動画素材ファイル１０１を選択することができれば、その手段は問わない。次のステップ（Ｓ３０２）として、選択した動画素材ファイル１０１から取り出したいＰｉｃｔｕｒｅのフレームオフセット値をユーザが設定する。フレームオフセット値を設定するために、図示しない設定釦等を用いて、ユーザが直接フレームオフセット値を入力してもよく、また、必要であれば、選択している動画素材ファイル１０１を再生、またはスロー再生するための図示しない装置等を用い、ユーザが出力したいＰｉｃｔｕｅｒを確認してそのＰｉｃｔｕｒｅを選択することによりフレームオフセット値を設定してもよく、フレームオフセット値を設定することができれば、その手段は問わない。最後のステップ（Ｓ３０３）として、例えば、図示しない静止画作成釦等を押下することにより、静止画の作成を開始する。
【００１４】
Ｓ３０１によって得られた動画素材ファイル１０１と、Ｓ３０２によって得られたフレームオフセット情報１１５から静止画素材ファイル１１１を作成する方法（Ｓ３０３）を以下に示す。
【００１５】
まず、動画素材識別情報（１）１０４と同じ素材識別情報を、動画素材識別情報（２）１１４として静止画ヘッダ部１１２に記録する方法について説明する。ここでは、動画素材ファイル１０１のことを単にＭＸＦファイル１０１と呼び、静止画素材ファイル１１１のことを単にＥｘｉｆファイル１１１と呼ぶことにする。また、図１における動画ヘッダ部１０２を図示しないＭＸＦヘッダ部とし、図１における静止画ヘッダ部１１２を図示しないＥｘｉｆヘッダ部とする。
【００１６】
ここで、ＭＸＦヘッダ部内に動画素材識別情報（１）１０４が記録されているものとする。ＭＸＦファイル１０１から指定したＰｉｃｔｕｒｅのフレームを取り出し、Ｅｘｉｆファイル１１１を作成する際、Ｅｘｉｆヘッダ部に、作成元素材であるＭＸＦファイル１０１の識別情報を動画素材識別情報（２）１１４として記録する。
【００１７】
この場合、Ｅｘｉｆファイル１１１の作成元素材はＭＸＦファイル１０１に相当するため、動画素材識別情報（２）はＭＸＦファイル１０１の動画素材識別情報（１）と等価となる。
【００１８】
なお、Ｅｘｉｆファイル１１１とＭＸＦファイル１０１は、素材の管理上では区別されるべきであり、Ｅｘｉｆファイル１１１にも固有の素材識別情報を記録する。よって、Ｅｘｉｆヘッダ部には、動画素材識別情報（２）以外にも、図示しないＥｘｉｆファイル１１１固有の識別情報も記録する。
【００１９】
このように、上述する方法を用いれば、Ｅｘｉｆヘッダ部を参照することにより、Ｅｘｉｆファイル１１１の作成元となった元素材ファイル、すなわちＭＸＦファイル１０１を特定することができる、という効果が得られる。
【００２０】
次に、作成する静止画が作成元の動画の何フレーム目に相当するかを示すオフセット値（フレームオフセット情報１１５）を記録する方法について説明する。
【００２１】
ＭＸＦファイル１０１の特定のＰｉｃｔｕｒｅを取り出してＥｘｉｆファイル１１１を作成する時、Ｅｘｉｆヘッダ部に、取り出したＰｉｃｔｕｒｅのフレームオフセット値をオフセット情報１１５として記録する。
【００２２】
このように、上述する方法を用いれば、Ｅｘｉｆヘッダ部を参照することにより、Ｅｘｉｆファイル１１１が、作成元素材ファイル、すなわちＭＸＦファイル１０１の何フレーム目に相当する静止画なのかを特定することができる、という効果が得られる。
【００２３】
なお、上述する例では、ＭＸＦヘッダ部に動画素材識別情報（１）１０４が記録されているものとしたが、ＭＸＦヘッダ部にはさらに他のメタ情報が記録されていてもよい。動画素材識別情報（１）１０４以外の他のメタ情報としては、例えば、撮影したカメラマンの名前、撮影したカメラの機器情報、撮影場所、著作権情報等が考えられ、その情報の種類は問わない。この時、Ｅｘｉｆヘッダ部には、動画素材識別情報（１）１０４以外のＭＸＦファイル１０１に関する他のメタ情報を記録する必要はない。
【００２４】
Ｅｘｉｆファイル１１１の作成元であるＭＸＦファイル１０１に記録されている他のメタ情報を知るためには、Ｅｘｉｆヘッダ部に記録されている動画素材識別情報（２）１１４から、作成元の素材ファイル、すなわちＭＸＦファイル１０１を特定し、そのＭＸＦヘッダ部に記録されているメタ情報を参照すればよい。すなわち、Ｅｘｉｆヘッダ部に記録されている動画素材識別情報（２）１１４をキーとして、作成元の素材ファイル、すなわちＭＸＦファイル１０１にリンク関係を築くことで、ＭＸＦヘッダ部に記録されている他のメタ情報を参照することができる、という効果が得られる。
【００２５】
ここで、上述する例において、ＭＸＦファイル１０１のＰｉｃｔｕｒｅ毎に、そのＰｉｃｔｕｒｅの撮影位置情報が格納されていることを想定する。つまり、ＭＸＦファイル１０１がカメラレコーダ等の移動可能な撮像装置を用いて、まさに移動中に記録されていた時、作成された映像データの各Ｐｉｃｔｕｒｅには、撮影位置情報がフレーム精度で記録されることになる。この場合、ＭＸＦファイル１０１の特定のＰｉｃｔｕｒｅデータを取り出してＥｘｉｆファイル１１１を作成した時、素材識別情報（２）１１４からリンクして、そのＰｉｃｔｕｒｅの撮影場所まで特定することができる、という効果が得られる。
【００２６】
また、動画素材ファイル１０１が、他の任意のファイルに関連付けされている場合を想定する。例えば、ＭＸＦファイル１０１が音声データを含まない映像データのファイルであった時、ＭＸＦファイル１０１の映像データと同期して再生されるべき音声データが記録されているファイル（以下、音声素材ファイルと呼ぶ）が、ＭＸＦファイル１０１に関連付けされていたとする。ＭＸＦファイル１０１と音声素材ファイルを関連付けるためには、例えばＭＸＦヘッダ内に、音声素材ファイルの素材識別情報等を記載しておき、それを参照すればよい。その場合、Ｅｘｉｆファイル１１１からＭＸＦファイル１０１に関連付けられている音声素材ファイルを参照したい時、Ｅｘｉｆヘッダ部に記録されている動画素材識別情報（２）１１４から、作成元の素材ファイル、すなわちＭＸＦファイル１０１を特定し、さらに、その関連情報から音声素材ファイルを特定して参照すればよい。また、音声素材ファイルが、更に他の任意のファイルに関連付けられている場合、同様の方法で、Ｅｘｉｆファイル１１１からそれぞれのファイルへの参照が可能となる。
【００２７】
このようにして、ＭＸＦファイル１０１からリンクで辿ることのできる任意のファイルへの参照が可能となる。
【００２８】
上述する方法を用いることにより、Ｅｘｉｆファイル１１１の作成元であるＭＸＦファイル１０１内に記録されているメタ情報だけでなく、ＭＸＦファイル１０１に関連付けされている任意のファイルに記録されている情報、また、さらにリンクを辿った先の任意のファイルに記録されている情報を参照することが可能となる、という効果が得られる。
【００２９】
なお、上述する方法では、ＭＸＦファイル１０１としては音声データを含まない映像データファイルとしたが、映像データの他に音声データや他のデータが含まれていてもよい。また、ＭＸＦファイル１０１に関連付けされているファイルとして、音声素材ファイルを例に上げたが、関連付けされているファイルとしては任意のデータのファイル、また、管理情報ファイルでもよく、そのファイルの種類は問わない。
【００３０】
また、上述する各種の例において、動画素材識別情報（１）１０４および動画素材識別情報（２）１１４としてＵＭＩＤ（Ｕｎｉｑｕｅ  Ｍａｔｅｒｉａｌ  Ｉｄｅｎｔｉｆｉｅｒ：ＳＭＰＴＥ  ３３０Ｍ−２０００）を用いてもよい。ＵＭＩＤは、世界中の素材の中でユニークな識別番号として用いられており、撮影時刻、撮影場所、撮影者の情報等が格納されている。このように、動画素材識別情報（１）１０４および動画素材識別情報（２）１１４としてＵＭＩＤを用いることにより、世界中の任意の素材の中から、Ｅｘｉｆファイル１１１の作成元であるＭＸＦファイル１０１を特定することができる、という効果が得られる。
【００３１】
なお、本実施の形態で用いた図１の例では、動画素材ファイル１０１には、動画ヘッダ部１０２および動画データ部１０３の二つの領域を設けていたが、これらの領域は明確に分ける必要はなく、動画素材ファイル１０１内に、動画素材識別情報（１）１０４および動画の実データさえ記録されていればよい。
【００３２】
また、静止画素材ファイル１１１には、静止画ヘッダ部１１２および静止画データ部１１３の二つの領域を設けていたが、これらの領域は明確に分ける必要はなく、静止画素材ファイル１１１内に、動画素材識別情報（２）１１４、フレームオフセット情報１１５、および静止画の実データさえ記録されていればよい。
【００３３】
また、本実施の形態では、動画素材ファイル１０１のファイルフォーマットをＭＸＦとし、静止画素材ファイル１１１のファイルフォーマットをＥｘｉｆとしたが、それぞれのファイルフォーマットの種類は問わず、また、非圧縮のデータから構成されるファイルでもよい。
【００３４】
（実施の形態２）
実施の形態１では、あらかじめ作成されている動画素材ファイル１０１の特定のＰｉｃｔｕｒｅの静止画を取り出し、静止画素材ファイル１１１を作成するための手段について述べたが、本実施の形態では、具体的にそれを実現するための静止画作成装置の機器構成およびその動作について述べる。
【００３５】
図２は、あらかじめ作成されている動画素材ファイル１０１の特定のＰｉｃｔｕｒｅの静止画を取り出し、静止画素材ファイル１１１を作成するための静止画記録装置の構成図である。２０１は記録媒体であり、動画や静止画等のファイルを記録する媒体である。記録媒体としては、ハードディスク、光ディスク、磁気ディスク、光磁気ディスク、半導体メモリ等が考えられるが、その種類は問わない。２０２はＲｅａｄ部であり、記録媒体２０１にあらかじめ記録されている動画素材ファイル１０１を読み出し、後述する動画デコード部２０３に動画データを出力する。２０３は動画デコード部であり、Ｒｅａｄ部２０２から出力された動画データを伸張（デコード）する。また、動画デコード部２０３は、動画の特定のＰｉｃｔｕｒｅデータを取り出し、後述する静止画作成部２０４にＰｉｃｔｕｒｅデータを出力する。ただし、動画素材ファイル１０１が非圧縮データであった場合、データを伸張することなく扱えるものとする。２０４は静止画作成部であり、動画デコード部２０３から出力されたＰｉｃｔｕｒｅデータから静止画素材ファイル１１１を作成する。２０５はＷｒｉｔｅ部であり、静止画作成部２０４で作成した静止画素材ファイル１１１を記録媒体２０１に記録する。また、Ｗｒｉｔｅ部は、動画等の他のあらゆるファイルを記録することができる。１２１は素材識別情報記録手段であり、動画素材識別情報（１）１０４と同じ素材識別情報を、動画素材識別情報（２）１１４として静止画ヘッダ部１１２に記録する際の手段である。１２２はフレームオフセット記録手段であり、作成する静止画が作成元の動画の何フレーム目に相当するかを示すオフセット値（フレームオフセット情報１１５）を記録する際の手段である。
【００３６】
この構成で、実施の形態１に記載の方法を用いて静止画を作成することにより、カメラレコーダやＶＴＲ等を用いて動画素材ファイル１０１を作成し、その後で特定の静止画を作成することが可能となり、ユーザが作成したいフレーム位置の静止画を後でゆっくりと選別できる、という効果が得られる。
【００３７】
なお、本実施の形態では、予め記録されていた動画素材ファイル１０１と、作成される静止画素材ファイル１１１は同一の記録媒体上に記録していたが、それぞれのファイルは別々の記録媒体に記録してもよい。
【００３８】
（実施の形態３）
実施の形態２では、あらかじめ作成されている動画素材ファイル１０１の特定のＰｉｃｔｕｒｅの静止画を取り出し、静止画素材ファイル１１１を作成する時の例を述べたが、本実施の形態では、カメラレコーダやＶＴＲ等を用いて動画を記録しながら、撮影中の所定の映像データの静止画を同時に作成する。
【００３９】
図４は、動画素材ファイル１０１を記録中に、撮影中の特定の映像データを静止画素材ファイル１１１として記録するための記録装置の構成を示した図である。４０１は映像入力部であり、撮像素子や再生装置等から映像情報を入力する。４０２は動画エンコード部であり、映像入力部から取得した映像情報を圧縮（エンコード）し、後述する動画作成部４０３に動画データを出力する。また、必要に応じて、映像入力部から取得した映像情報から所定のＰｉｃｔｕｒｅデータを取り出し、静止画作成部２０４に出力する。ただし、作成する動画素材ファイル１０１が非圧縮データから構成されるファイルであった場合、データを圧縮することなく扱えるものとする。４０３は動画作成部であり、動画エンコード部４０２から出力された動画データから、動画素材ファイル１０１を作成する。２０５はＷｒｉｔｅ部であり、動画作成部４０３で作成した動画素材ファイル１０１及び静止画作成部２０４で作成した静止画素材ファイル１１１を記録媒体２０１に記録する。
【００４０】
図５は、図４の装置を用いて静止画素材ファイル１１１を作成するためのフローチャートである。なお、ここでは、動画の記録についての詳細な説明は省略し、動画記録中に行う静止画記録の方法についてのみ示す。まず、最初のステップ（Ｓ５０１）として、動画、すなわち動画素材ファイル１０１の記録を開始する。動画の記録を開始するためには、図示しない動画記録開始釦等を用いてユーザが記録開始すればよい。動画の記録が開始されると、次は、動画の記録終了の命令が発行されたかどうかを判断する（Ｓ５０４）。Ｓ５０４において、動画記録終了命令が発行されていなければ、次は、静止画出力の命令が発行されたかどうかを判断する（Ｓ５０５）。静止画出力命令は、図示しない静止画作成釦をユーザが押下すると発行される。この時、必要であれば、記録中の動画をリアルタイムで出力するための図示しないモニタ等を用いて、作成したい所定の位置でユーザが静止画作成釦を押下するようにしてもよい。また、静止画作成フレームオフセット値をあらかじめ設定しておき、動画記録中に、所定のフレーム位置の動画を記録する時点で静止画出力命令を発行してもよく、静止画出力命令を発行することができれば、その手段は問わない。
【００４１】
Ｓ５０５において、静止画出力命令が発行されていれば、静止画を作成する（Ｓ５０２）。この時作成される静止画は、静止画出力命令が発行された時点で記録していた動画のフレームデータのオフセット値のＰｉｃｔｕｒｅの静止画である。静止画出力命令が発行された時点で記録していた動画の素材識別番号および、その時にＳ５０５で得られたオフセット値を用いて、実施の形態１の要領で静止画を作成する。
【００４２】
静止画を記録した後は、図５に示すようにＳ５０４に戻る。また、Ｓ５０５において、静止画出力命令が発行されていない場合は、図５に示すように、Ｓ５０４に戻る。Ｓ５０４において、動画記録終了命令が発行されていれば、動画記録を終了する（Ｓ５０３）。動画記録終了命令は、動画記録中に、例えば、図示しない動画記録終了釦を押下すると発行される。動画記録終了釦は、記録開始釦と共通のものを使用してもよい。
【００４３】
また、動画記録中に、記録媒体２０１の記録容量がいっぱいになれば、自動的に動画記録終了命令を発行してもよい。
【００４４】
上述する手順で、動画素材ファイル１０１を記録中に、所定のＰｉｃｔｕｒｅの静止画素材ファイル１１１を記録することができる。この構成で静止画を作成することにより、動画記録中に所定の静止画をリアルタイムで記録することができるので、動画記録後に、再度動画を再生し、確認しながら所定の位置の静止画を作成する手間が省ける、という効果が得られる。
【００４５】
なお、本実施の形態では、動画素材ファイル１０１と、静止画素材ファイル１１１は同一の記録媒体上に記録したが、それぞれのファイルは別々の記録媒体に記録してもよい。
【産業上の利用可能性】
【００４６】
本発明は、動画中の所定のＰｉｃｔｕｒｅを取り出して静止画として記録する際、管理ファイル等がなくても、その静止画の作成元素材との関連付けが可能となり、素材管理の観点で有用である。
【００４７】
また、動画から作成された静止画において、その作成元となった動画素材ファイルおよびそのフレームオフセット値が、静止画素材ファイルを参照するだけで分かるので、その後の編集作業を効率よく行うことが可能となり、編集効率の観点でも有用である。
【図面の簡単な説明】
【００４８】
【図１】動画素材ファイルから静止画素材ファイルを作成する時の図
【図２】実施の形態２における静止画作成装置の構成図
【図３】実施の形態２における静止画作成時のフローチャート
【図４】実施の形態３における静止画作成装置の構成図
【図５】実施の形態３における静止画作成時のフローチャート
【符号の説明】
【００４９】
１０１    動画素材ファイル
１０２    動画ヘッダ部
１０３    動画データ部
１０４    動画素材識別情報（１）
１１１    静止画素材ファイル
１１２    静止画ヘッダ部
１１３    静止画データ部
１１４    動画素材識別情報（２）
１１５    フレームオフセット情報
１２１    素材識別情報記録手段
１２２    フレームオフセット記録手段
２０１    記録媒体
２０２    Ｒｅａｄ部
２０３    動画デコード部
２０４    静止画作成部
２０５    Ｗｒｉｔｅ部
４０１    映像入力部
４０２    動画エンコード部
４０３    動画作成部
Ｓ３０１  動画素材ファイル選択ステップ
Ｓ３０２  フレームオフセット位置設定ステップ
Ｓ３０３  静止画作成開始ステップ
Ｓ５０１  動画記録開始ステップ
Ｓ５０２  静止画作成ステップ
Ｓ５０３  動画記録終了ステップ
【図１】
2006157343.tif 000003
【図２】
2006157343.tif 000004
【図３】
2006157343.tif 000005
【図４】
2006157343.tif 000006
【図５】
2006157343.tif 000007